(57)【要約】【課題】サンバイザー隠し式遮光構造を提供する。【解決手段】本発明は主に、上部縁部を有する収容部（１１０）が開設され、両側に溝縁部が各々形成され、前記収容部内の上部縁部に対する端は開口端として形成される本体と、遮光板と、外縁の外部から挟持部が延伸され、前記挟持部の間隙には前記遮光板の端縁が嵌入されて固定され、前記挟持位置決め機構の両端には押圧部材が各々設置され、前記押圧部材が外に向けて押圧する圧力を保持させる挟持位置決め機構と、を備える。前記遮光板及び前記挟持位置決め機構が固定された後に収容部の両側の溝縁部の空間中に嵌入され、且つ前記挟持位置決め機構の両端の押圧部材が収容部の両側の溝縁部内に押圧されることで対応する抵抗力が発生し、前記遮光板が収容部の両側の溝縁部の特定の位置に暫定的に定位される。使用者が外部から前記遮光板を押し引きしてサンバイザーの本体の開口端箇所に出し入れすることにより収容及び引き出しての光線の遮蔽効果を達成させる。【選択図】図２
2020040644.tif 000002
【特許請求の範囲】
【請求項１】
サンバイザー隠し式遮光構造であって、前記サンバイザー（１０）は、
上部縁部（１１１）を有する収容部（１１０）が開設され、両側には溝縁部（１１２）が各々形成され、前記収容部（１１０）内の上部縁部（１１１）に対する端は開口端（１１３）として形成される本体（１１）と、
収容部（１１０）に内設される遮光板（２０）と、
外縁の外部から挟持部（３０２）が延伸され、前記挟持部（３０２）の間隙には前記遮光板（２０）の端縁が嵌入されて固定され、且つ両端には押圧部材（３１）が各々設置され、前記押圧部材（３１）は外に向けて押圧する圧力を保持させる挟持位置決め機構（３０）と、を備え、
前記遮光板（２０）及び前記挟持位置決め機構（３０）の固定後に、前記挟持位置決め機構（３０）が収容部（１１０）の両側の溝縁部（１１２）の空間中に嵌入され、前記挟持位置決め機構（３０）の両端の押圧部材（３１）が収容部（１１０）の両側の溝縁部（１１２）内に押圧され、十分な力が前記遮光板（２０）に加えられることで収容部（１１０）の両側の溝縁部（１１２）の特定の位置に暫定的に定位され、使用者が外部から前記遮光板（２０）を押し引きしてサンバイザー（１０）の本体（１１）の開口端（１１３）箇所に出し入れすることにより収容及び引き出しての光線の遮蔽効果を達成させることを特徴とするサンバイザー隠し式遮光構造。
【請求項２】
前記遮光板（２０）及び前記挟持位置決め機構（３０）が収容部（１１０）に嵌入された後、本体（１１）の上方がカバー（１２）により被覆され、収容部（１１０）が開口端（１１３）の開口部のみを有する内部収容空間として形成され、これにより遮光板（２０）が前記開口端（１１３）の位置箇所に一方向にのみ出し入れされるように制限され、前記カバー（１２）が収容部（１１０）を覆った後に形成される間隔は前記挟持位置決め機構（３０）または前記遮光板（２０）の厚さに等しいかそれよりやや大きいことを特徴とする請求項１に記載のサンバイザー隠し式遮光構造。
【請求項３】
前記遮光板（２０）は厚さのある板状であり、前記遮光板（２０）は光透過性または非光透過性の板状材質であり、光透過性の材質は主に濾光効果を有する光透過板を指し、非光透過板はサンバイザー（２０）の面積を増大させる目的で使用されることを特徴とする請求項１に記載のサンバイザー隠し式遮光構造。
【請求項４】
前記挟持位置決め機構（３０）の両端には取付孔部（３０１）が各々開設され、且つ取付孔部（３０１）には弾性部材（３２）が内設されると共に前記押圧部材（３１）に連結されることを特徴とする請求項１に記載のサンバイザー隠し式遮光構造。
【請求項５】
前記挟持位置決め機構（３０）の両端には上端にボール（３３１）が装設される摺動部材（３３）が各々設置され、前記摺動部材（３３）の上端に覆設されるボール（３３１）が他端に対して、さらに前記挟持位置決め機構（３０）内で弾性部材（３２）に内接され、前記弾性部材（３２）が外に向けて摺動部材（３３）に突き当てられることによりボール（３３１）の一部と収容部（１１０）の両側の溝縁部（１１２）の内縁とが接触することを特徴とする請求項１に記載のサンバイザー隠し式遮光構造。
【請求項６】
前記挟持位置決め機構（３０）内の中間位置には対向し合うように内接される２つの弾性部材（３２）を仕切り、両側に向けて安定的に押圧させるように維持させる固定の仕切り板（３０３）が増設されることを特徴とする請求項５に記載のサンバイザー隠し式遮光構造。
【請求項７】
前記挟持位置決め機構（３０）の両端には取付孔部（３０１）が各々開設され、２つの取付孔部（３０１）の外には突き当て部材（３４）が各々装設され、前記突き当て部材（３４）の上部には弾性板（３４１）を有し、前記弾性板（３４１）は収容部（１１０）の両側の溝縁部（１１２）の内縁に滑動可能に突き当てられることを特徴とする請求項１に記載のサンバイザー隠し式遮光構造。
【発明の詳細な説明】
【技術分野】
【０００１】
本発明は、サンバイザー隠し式遮光構造に関し、主に車用サンバイザー内に隠される定位構造を提供し、前記遮光板が車用サンバイザーに隠されながら引き出される設計により、ドライバーが運転中に強い光が差し込んだ場合に、遮光板を簡単に引き出せて視線に影響する強い光を濾光して遮蔽し、運転の安全性を高め、サンバイザー中に容易に収容可能であり、美観を保持させるサンバイザー隠し式遮光構造に関する。
【背景技術】
【０００２】
図１は従来の車内空間を示す概略図である。一般的な車内Ｉのドライバーが操作するインパネＣの設計は、ハンドルＳＷの前方の視角は一般的にフロントガラスＦＷ越しに前方の交通状況を観察し、且つバックミラーＲＭ及び両側のサイドミラーＳＭを使用して車の後方の交通状況を観察するようになっている。
【先行技術文献】
【特許文献】
【０００３】
【特許文献１】米国特許第５，６６２，３７１号明細書
【発明の概要】
【発明が解決しようとする課題】
【０００４】
しかしながら、運転中に強い光がフロントガラスＦＷから入ってくる場合、ドライバーは一般的に光線を遮蔽できる位置にまでサンバイザー１０を移動させる。従来のサンバイザー１０は透かして見ることができないため、運転の安全性を鑑みるとサンバイザー１０の面積を大きくすることはできず、車内Ｉの空間による制限以外、サンバイザー１０が大きすぎると視線を遮って却って危険であった。このため、ドライバーはサンバイザー１０の遮光面積の設計に合わせて絶えずサンバイザー１０の位置を変えて強い光をなるべく遮蔽させるようにするが、視線を確保する観点から視線を全て遮蔽させるようにはできず、一般的なサンバイザー１０では遮光性及び運転の安全性を兼ね備えることは困難であるという問題があった。
【０００５】
なお、従来のサンバイザー１０は透かして見ることができないため、一定の安全な大きさの範囲内に制限されるという欠点を解決し、且つ運転中に強い光を濾光する効果を提供するため、透かし見ることが可能な遮光板がサンバイザー１０に挟持され、挟持式遮光板がサンバイザー１０に挟持されると共に湾曲する設計が開発され、ドライバーが運転中に強い光が差し込んできても、サンバイザー１０の一側から遮光板を下向きに回して差し込む光線を遮蔽させ、運転の安全性を高めている。しかしながら、このような挟持式遮光板が別途増設される場合には他の欠点が存在する。その１つとして、このようなタイプの挟持式遮光板はサンバイザー１０に別途挟持せねばならないため、車内空間内で視覚的に突出するようになるほか、一般的なサンバイザー１０の内表面には化粧鏡及び夜間照明等の機能が装備されるため、挟持式遮光板がサンバイザー１０に挟持されると、多くの場合化粧鏡及び夜間照明を遮蔽して使用不能になり、他の装置の使用にも影響が出るため、明らかに不便であった。
【０００６】
さらに、従来の特許文献では、例えば、サンバイザー構成の設計の発明が記載されている（例えば、特許文献１参照）。特許文献１には、П形金属フレームがサンバイザー中に嵌入されると共にП形金属フレーム内の開口部の凹型溝の間に遮光板が貫入され、前記П形金属フレームには両辺のフレーム体に跨設される棒が増設され、遮光板がП形金属フレーム内の凹型溝に貫入されると共に前記棒を通過させた後に一辺に２つのピンが増設され、２つのピンが前述の棒に当接されてП形金属フレーム内の凹型溝の行程内で定位される（図３参照）。前記特許文献１に記載のサンバイザーの構造設計を総合すると、遮光板がサンバイザー中に収容されるが、図１に示される遮光板２０の破線の表示位置はサンバイザー１０の外に引き出されており、但し、П形金属フレームには両辺のフレーム体に跨設される棒が増設され、遮光板がП形金属フレーム内の凹型溝に貫入されると共に前記棒を通過させた後に一辺に２つのピンが増設される設計により、実用においては構造全体の厚さが大幅に増加し、実用が困難であった。また、単純に遮光板の両辺の一端にピンが増設されて定位され、これが十分な量であればサンバイザーの外に脱落するのを制限することができるが、前記設計には遮光板をП形金属フレーム内の凹型溝の内縁に当接させる横方向の抵抗力が欠けている。これでは遮光板が精確に定位せずに滑落してしまい、よって、前記特許の設計は実際に市場に投入することができなかった。
【０００７】
そこで、本発明者は上記の欠点が改善可能と考え、鋭意検討を重ねた結果、合理的設計で上記の課題を効果的に改善する本発明の提案に到った。
【０００８】
本発明は、このような従来の問題に鑑みてなされたものである。上記課題解決のため、本発明は、サンバイザー隠し式遮光構造を提供することを主目的とする。
【課題を解決するための手段】
【０００９】
上記課題を解決するために、本発明のある態様のサンバイザー隠し式遮光構造は、
上部縁部を有する収容部が開設され、両側に溝縁部が各々形成され、前記収容部内の上部縁部に対する端は開口端として形成される本体と、
収容部に内設される遮光板と、
遮光板と、外縁の外部から挟持部が延伸され、前記挟持部の間隙には前記遮光板の端縁が嵌入されて固定され、前記挟持位置決め機構の両端には押圧部材が各々設置され、前記押圧部材が外に向けて押圧する圧力を保持させる挟持位置決め機構と、を備える。
前記遮光板及び前記挟持位置決め機構が固定された後、前記挟持位置決め機構が収容部の両側の溝縁部の空間中に嵌入され、且つ前記挟持位置決め機構の両端の押圧部材が収容部の両側の溝縁部内に押圧されることで十分な力で前記遮光板が収容部の両側の溝縁部の特定の位置に暫定的に定位される。使用者が外部から前記遮光板を押し引きしてサンバイザーの本体の開口端箇所に出し入れすることにより収容及び引き出しての光線の遮蔽効果を達成させる。
【００１０】
本発明の好適例において、前記遮光板及び前記挟持位置決め機構が収容部に嵌入された後、本体上方がカバーにより被覆され、収容部が開口端の開口部のみを有する内部収容空間として形成される。これにより、遮光板が前記開口端の位置箇所に一方向にのみ出し入れされるように制限され、前記カバーが収容部を覆った後に形成される間隔が前記挟持位置決め機構または前記遮光板の厚さに等しいかそれよりやや大きいである。
【００１１】
本発明の好適例において、前記遮光板は厚さのある板状であり、前記遮光板は光透過性または非光透過性の板状材質である。光透過性の材質は主に濾光効果を有する光透過板を指し、非光透過板はサンバイザーの面積を増大させる目的で使用される。
【００１２】
本発明の好適例において、前記挟持位置決め機構の両端には取付孔部が各々開設され、且つ取付孔部には弾性部材が各々内設されると共に前記押圧部材に連結される。
【００１３】
本発明の好適例において、前記挟持位置決め機構の両端には上端にボールが装設される摺動部材が各々設置され、前記摺動部材の上端に覆設されるボールが他端に対して、さらに前記挟持位置決め機構内で弾性部材に内接され、前記弾性部材が外に向けて摺動部材に突き当てられることによりボールの一部と収容部の両側の溝縁部の内縁とが接触する。
【００１４】
本発明の好適例において、前記挟持位置決め機構の両端には取付孔部が各々開設され、２つの取付孔部の外には突き当て部材が各々装設される。前記突き当て部材の上部には弾性板を有し、前記弾性板は収容部の両側の溝縁部の内縁に滑動可能に突き当てられる。
【発明の効果】
【００１５】
本発明によれば、ドライバーに美観と延長される遮光効果とを兼ね備えるサンバイザー構造を提供し、各種の交通手段のサンバイザー構造に応用可能であり、操作性も卓越している。
【図面の簡単な説明】
【００１６】
【図１】従来の車内空間を示す概略図である。
【図２】本発明の好ましい実施形態による遮光構造を示す傾斜の分解概略図である。
【図３】本発明の好ましい実施形態による遮光構造を示す一部の分解概略図である。
【図４】本発明の好ましい実施形態による遮光構造を示す側面図である。
【図５】本発明の好ましい実施形態による遮光構造を示す一部の側面断面図である。
【図６】本発明の他の実施形態による遮光構造を示す一部の側面断面図である。
【図７】本発明のさらなる他の実施形態による遮光構造を示す一部の側面断面図である。
【発明を実施するための形態】
【００１７】
以下、本開示の実施形態について図面を用いて説明する。なお、本開示は、下記の実施形態に何ら限定されることはなく、本開示の技術的範囲に属する限り種々の形態を採りうる。
【００１８】
図２は本発明の好ましい実施形態を示す傾斜の分解概略図である。本発明のサンバイザー隠し式遮光構造は遮光板２０がサンバイザー１０に隠されるように収容されるという長所を達成させ、遮光板２０が具体的に実際の製品に使用されて強い光を遮蔽する効果を達成させるため、サンバイザー１０の内部構造をさらに設計する。また、本発明の好ましい実施形態では、サンバイザー１０の設計において本体１１及びカバー１２を有し、前記本体１１には収容部１１０の溝状が開設され、前記収容部１１０は前記本体１１に上部縁部１１１を有し、両側には溝縁部１１２が各々形成される。本実施形態において前記溝縁部１１２の構成は収容部１１０の両側方向に向けて内側が凹む溝状を呈し、このため、収容部１１０に対応する両側辺には滑動可能な溝路が形成され、前記収容部１１０はさらに本体１１に上部縁部１１１に対する端に開口端１１３が形成される。
【００１９】
図３は本発明の好ましい実施形態を示す一部の分解概略図である。前記サンバイザー１０の収容部１１０には遮光板２０及び挟持位置決め機構３０が装設される。前記遮光板２０とは厚さのある板状を指し、好ましい実施形態においては光透過性または非光透過性の板状材質に制限されない。光透過性の材質は主に濾光効果を有する光透過板を指し、非光透過板はサンバイザー２０の面積を増大させる目的で使用され、前記遮光板２０の幅はやや短く、厚さもやや薄く、収容部１１０に内設される。前記挟持位置決め機構３０は細長い棒状であり、その両端には取付孔部３０１が各々開設され、棒状の外縁の外部には片状構造が上下に各々延伸され、前記２つの片状構造は挟持部３０２として形成される。前記挟持部３０２の間の間隙の幅には前記遮光板２０の端縁が嵌入され、且つ前記遮光板２０の前記端縁が前記挟持部３０２の間の間隙内に固定され、その固定方式はねじによるロック、粘着、または溶接等の方式である。前述の２つの取付孔部３０１内には弾性部材３２及び押圧部材３１が各々設置され、前記押圧部材３１及び前記弾性部材３２は前記取付孔部３０１内に装設されて位置を制限された後、前記押圧部材３１が前記取付孔部３０１の外に突出し、且つ内部の弾性部材３２により外に押し出される弾力が提供されて前記取付孔部３０１内を上下移動する行程において、外に向けて押圧する圧力を保持させる。
【００２０】
図４は本発明の好ましい実施形態を示す側面図である。前記遮光板２０及び前記挟持位置決め機構３０が固定された後、遮光板２０が前記挟持位置決め機構３０により収容部１１０の両側の溝縁部１１２に形成される溝路の空間中に嵌入され、且つ前述の挟持位置決め機構３０の両端の押圧部材３１が収容部１１０の両側の溝縁部１１２内の凹型状内に押圧される。この際、両端の押圧部材３１及び収容部１１０の両側の溝縁部１１２が対応する抵抗力を発生させ、前記抵抗力が十分な力を提供して前記遮光板２０を、外力を受けない状況で収容部１１０の両側の溝縁部１１２の特定の位置に暫定的に定位させる。使用者が外部から前記遮光板２０を押し引きすることで収容部１１０の両側の溝縁部１１２を移動し、遮光板２０が図４に示される矢印方向にサンバイザー１０の本体１１の開口端１１３箇所の内外に出し入れされ、収容及び引き出されての光線の遮蔽設計を達成させることが本発明の主な技術的核心である。前記遮光板２０及び前記挟持位置決め機構３０が収容部１１０の両側の溝縁部１１２に形成される溝路の空間に嵌入された後、本体１１の上方の面積及び本体と相似するカバー１２により被覆される。カバー１２が本体１１に固定される方式はねじによるロックまたは接着等の方式であり、本体１１の上方に固定された後のカバー１２により収容部１１０が開口端１１３の開口部のみを有する内部収容空間として形成され、これにより遮光板２０が前記開口端１１３の位置箇所に一方向にのみ出し入れされるように完全に制限され、視覚的に収容される効果を達成させる。また、カバー１２が収容部１１０を覆った後に形成される間隔は前記挟持位置決め機構３０または前記遮光板２０の厚さに等しいかそれよりやや大きいである。
【００２１】
図５は本発明の好ましい実施形態を示す一部の傾斜図である。前記収容部１１０の両側の溝縁部１１２の形態は、複数の凹部１１２１を有するように設計されてもよい。凹部１１２１は前記挟持位置決め機構３０の両端の押圧部材３１が収容部１１０の両側の溝縁部１１２内に押圧される際に、押圧部材３１が弾性当接される設計であるため、遮光板２０が引っ張られて移動した際に前記押圧部材３１の外の突端が各凹部１１２１の位置に進入すると、突き当てて支える力を更に有し、且つ凹部１１２１の間隔は押圧部材３１の滑動時に各凹部１１２１の間隔との間の高度差が跳ね上がり、これが、ドライバーが遮光板２０を引っ張る際の操作感に反映され、遮光板２０がサンバイザー１０から引き出される際の感覚も更に高まる。
【００２２】
図６は本発明の他の実施形態による遮光構造を示す一部の側面断面図である。前述の前記挟持位置決め機構３０の両端の当接設計の最も主要な効果は、収容部１１０の両側の溝縁部１１２の内縁に突き当てられることであり、押圧部材３１は上端に突出形状構造を有する設計以外、上端にボール３３１が装設される摺動部材３３によって代替されてもよい。前記摺動部材３３の上端に覆設されるボール３３１は他端に対し、さらに前記挟持位置決め機構３０内に弾性部材３２が内接され、前記弾性部材３２が外に向けて摺動部材３３に突き当てられることによりボール３３１の一部と収容部１１０の両側の溝縁部１１２の内縁とが接触する。ボール３３１の回転特性により、前記挟持位置決め機構３０が外に向けての一定の押動力を維持させると同時に、ボール３３１の回転により遮光板２０及び前記挟持位置決め機構３０が前記収容部１１０の空間中でより簡単に滑動可能になり、押し引き動作が容易になる。前記挟持位置決め機構３０内の中間位置には対向し合うように内接される２つの弾性部材３２を仕切り、両側に向けて安定的に押圧させるように維持させる固定の仕切り板３０３が増設される。
【００２３】
図７は本発明のさらなる他の実施形態による遮光構造を示す一部の側面断面図である。前述の前記挟持位置決め機構３０の両端の当接設計を突き当て部材３４が２つの取付孔部３０１の外に突き当てられるようにそれぞれ装設されるように変更しても良い。前記突き当て部材３４は上部に弾性板３４１を有する設計であり、本実施形態では、前記弾性板３４１は曲度を有し、収容部１１０の両側の溝縁部１１２の内縁の間に滑動可能に突き当てられ、遮光板２０及び前記挟持位置決め機構３０が前記収容部１１０の空間中を滑動して押し引きされる動作を達成させる。
【００２４】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２５】
１０  サンバイザー
１１  本体
１１０  収容部
１１１  上部縁部
１１２  溝縁部
１１３  開口端
１１２１  凹部
１２  カバー
２０  遮光板
３０  挟持位置決め機構
３０１  取付孔部
３０２  挟持部
３０３  仕切り板
３１  押圧部材
３２  弾性部材
３３  摺動部材
３３１  ボール
３４  突き当て部材
３４１  弾性板
Ｃ  インパネ
ＦＷ  フロントガラス
Ｉ  車内
ＲＭ  バックミラー
ＳＭ  サイドミラー
ＳＷ  ハンドル
【図１】
2020040644.tif 000003
【図２】
2020040644.tif 000004
【図３】
2020040644.tif 000005
【図４】
2020040644.tif 000006
【図５】
2020040644.tif 000007
【図６】
2020040644.tif 000008
【図７】
2020040644.tif 000009